(57)【要約】      （修正有）【課題】開傘スプリングの長さが短縮され、開傘スプリングの加工長さが減少されて、製造コストが低減されるとともに、開傘スプリングの押圧力を低減して、開傘の難しさが低下し、快適度が増加するようにできるＣ自動開閉隠れスプリング構造を提供する。【解決手段】Ｃ自動開閉隠れスプリング構造は、中ろくろ１と下ろくろ２とを含む自動開傘構造を含み、中ろくろ１と下ろくろ２の間に開傘スプリング６が取り付けられており、下ろくろ２の下側に圧縮スリーブ３が接続され、中ろくろ１の下側に摺動スリーブ４が接続され、摺動スリーブ４が圧縮スリーブ３の内に取り付けられて摺動協働し、摺動スリーブ４における、圧縮スリーブ３に向かっている側には位置決めスリーブ５が接続されており、位置決めスリーブ５の外径が摺動スリーブ４の外径よりも小さくなり、開傘スプリング６は、一端が位置決めスリーブ５に外嵌されて摺動協働して、摺動スリーブ４の下側面に当接されており、他端が圧縮スリーブ３の下側面に当接されていることにある。【選択図】図２
0003217597.tif 000002
【実用新案登録請求の範囲】
【請求項１】
中ろくろと下ろくろとを含む自動開傘構造を含み、前記中ろくろと前記下ろくろの間に開傘スプリングが取り付けられる、C自動開閉隠れスプリング構造であって、
前記下ろくろの下側に圧縮スリーブが接続され、前記中ろくろの下側に摺動スリーブが接続され、前記摺動スリーブが前記圧縮スリーブの内部に取り付けられて摺動協働し、
前記摺動スリーブにおける、前記圧縮スリーブに向かっている側には位置決めスリーブが接続されており、前記位置決めスリーブの外径が前記摺動スリーブの外径よりも小さくなり、
前記開傘スプリングは、一端が前記位置決めスリーブに外嵌されて摺動協働して、前記摺動スリーブの下側面に当接されており、他端が前記圧縮スリーブの下側面に当接されていることを特徴とするC自動開閉隠れスプリング構造。
【請求項２】
前記圧縮スリーブの内径と前記開傘スプリングの外径とが等しいことを特徴とする請求項１に記載のC自動開閉隠れスプリング構造。
【請求項３】
前記摺動スリーブの外径と前記開傘スプリングの外径とが等しいことを特徴とする請求項２に記載のC自動開閉隠れスプリング構造。
【請求項４】
前記圧縮スリーブは上スリーブと調節スリーブとを含み、
前記上スリーブは、一端が下ろくろの下に固定され、他端が前記調節スリーブに接続され、
前記上スリーブと前記調節スリーブとがネジ接合されており、前記開傘スプリングが前記調節スリーブに当接されていることを特徴とする請求項１に記載のC自動開閉隠れスプリング構造。
【請求項５】
前記調節スリーブの内部には当接リングが取り付けられ、
前記当接リングが前記調節スリーブに対して回転協働し、
前記開傘スプリングが前記当接リングに当接されることを特徴とする請求項４に記載のC自動開閉隠れスプリング構造。
【考案の詳細な説明】
【技術分野】
【０００１】
本考案は、傘に関し、より具体的には、C自動開閉隠れスプリング構造に関する。
【背景技術】
【０００２】
現在、傘は、一般的に、傘柄、中棒、下ろくろ、上ろくろ、傘の骨及び傘の布面を含む。自動傘にとって、傘の骨に接続された弾性力開傘構造が中棒に外嵌されており 、開傘構造は、一般的に、スプリングの回復力を雨傘の開閉力として、雨傘開閉の自動化が実現される。
【０００３】
公開番号CN205671671Uは、誤操作防止可能な長傘開閉構造を開示しており、弾性力開傘構造が外嵌して付設される中棒を含み、弾性力開傘構造は、中ろくろと下ろくろとスリーブとを含み、前記スリーブは、中ろくろに接続された上スリーブと、下ろくろに接続された下スリーブとを含み、弾性力開傘構造は、上スリーブ及び上スリーブの内部に位置している開傘スプリングをさらに含む。
【０００４】
傘を開くときに、開傘スプリングの回復力による上スリーブと下スリーブの間の距離の増加につれて、傘の布面を展開させて、雨傘の自動展開が実現される。スプリングを上スリーブ及び下スリーブの内部に隠すことにより、使用過程では傘開スプリングが外へ露出することがないため、使用者の指や手などが挟まれてけがされるリスクが回避された。
【考案の概要】
【考案が解決しようとする課題】
【０００５】
しかしながら、上記技術手段を実現するために、スプリングの本来の長さは上スリーブ及び下スリーブの長さの総和以上である必要があり、スプリングの長さが長い場合、材料のコストの増加に係ることに加え、上スリーブと下スリーブとが摺動協働しなければならないため、下スリーブを上スリーブの外壁に外嵌する必要がある（下スリーブを上スリーブに外嵌する）。したがって、下スリーブは外径が大きくて、開傘スプリングとの間に一定の隙間が存在し、圧縮された開傘スプリングを湾曲させることがある。長期間に窄められた雨傘であれば、開傘スプリングの永久的湾曲歪みを導き、さらに開傘スプリングの失効を招致し、雨傘の自動開傘機能に影響する。
【課題を解決するための手段】
【０００６】
既存技術の不足に対して、本考案は、C自動開閉隠れスプリング構造を提供している。上記目的を実現するために、本考案は、以下技術手段を提供している。
【０００７】
C自動開閉隠れスプリング構造であって、中ろくろと下ろくろとを含む自動開傘構造を含み、中ろくろと下ろくろの間に開傘スプリングが取り付けられ、前記下ろくろの下側に圧縮スリーブが接続され、前記中ろくろの下側に摺動スリーブが接続され、前記摺動スリーブが圧縮スリーブの内に取り付けられて摺動協働している。前記摺動スリーブにおける、圧縮スリーブに向かっている側には位置決めスリーブが接続されており、前記位置決めスリーブの外径が摺動スリーブの外径よりも小さくなり、前記開傘スプリングは、一端が位置決めスリーブに外嵌されて摺動協働して、摺動スリーブの下側面に当接されており、他端が圧縮スリーブの下側面に当接されている。
【０００８】
上記技術手段によれば、本考案は、中ろくろの下に設けられた摺動スリーブが圧縮スリーブ内に入り込んで、位置決めスリーブと摺動スリーブとの外径の差分により開傘スプリングの取り付け位置が形成されて、開傘スプリングの上端と圧縮スリーブとの距離が短縮されることにより、開傘スプリングの長さが減少され、スプリングの利用コストが低減されるとともに、開傘スプリングの回復行程が短縮され、即ち、開傘スプリングの圧縮力が低減され、閉傘に必要な力が減少し、使い勝手が良くなる。また、位置決めスリーブの設置は、閉傘スプリングが圧縮される時に、スプリングの内壁で支持作用を奏し、閉傘スプリングが押圧されて湾曲されることが回避される。
【０００９】
前記圧縮スリーブの内径と前記開傘スプリングの外径とが等しいことが好ましい。
【００１０】
上記技術手段によれば、圧縮スリーブの内径と前記開傘スプリングの外径とが等しいため、圧縮過程では、開傘スプリングの外側においても開傘スプリングを制限することができ、開傘スプリングに湾曲になることが防止される。
【００１１】
前記摺動スリーブの外径と開傘スプリングの外径とが等しいことが好ましい。
【００１２】
上記技術手段によれば、摺動スリーブの外径と開傘スプリングの外径とが等しい、即ち、圧縮スリーブ外径に等しいため、雨傘の開閉過程では中ろくろの揺れの発生が回避される。
【００１３】
前記圧縮スリーブは上スリーブと調節スリーブとを含み、前記上スリーブは、一端が下ろくろの下に固定され、他端が調節スリーブに接続され、前記上スリーブと調節スリーブとがネジ接合されており、前記開傘スプリングが調節スリーブに当接されていることが好ましい。
【００１４】
上記技術手段によれば、調節スリーブを回転させて、調節スリーブがそれとネジ接合されている上スリーブで摺動するようにすることで、圧縮スリーブの長さが調節されて、圧縮スリーブ内部の開傘スプリングの初期圧縮長さを変更させ、利用者によっては異なる自動開傘力度が調節され、自動開傘力度が過大になり、その生じされる開傘力度が利用者の使用心地に影響することが回避される。
【００１５】
前記調節スリーブの内部に当接リングが取り付けられ、前記当接リングが調節スリーブに対して回転協働しており、前記開傘スプリングが当接リングに当接されることが好ましい。
【００１６】
上記技術手段によれば、調節スリーブを回転させる過程で、当接リングと調節スリーブとの間に相対的回転を発生することで、調節スリーブを回転させる過程において開傘スプリングが調節スリーブに伴って回転することにより回転抵抗が生じ、使用過程において回転抵抗に作用されて調節スリーブが自発回転することが回避される。
【図面の簡単な説明】
【００１７】
【図１】C自動開閉隠れスプリング構造を示す模式図である。
【図２】図１の断面図である。
【図３】図２におけるA箇所の一部分拡大図である。
【考案を実施するための形態】
【００１８】
図１〜図３を結合しながら本考案に係るC自動開閉隠れスプリング構造を更に説明する。
【００１９】
C（Cは構造タイプの一種）自動開閉隠れスプリング構造であって、中ろくろ１と下ろくろ２とを含む自動開傘構造を含み、中ろくろ１と下ろくろ２との間に開傘スプリング６が取り付けられ、前記下ろくろ２の下側に圧縮スリーブ３が接続され、前記中ろくろ１の下側に摺動スリーブ４が接続され、前記摺動スリーブ４が圧縮スリーブ３の内に取り付けられて摺動協働しており、前記摺動スリーブ４における、圧縮スリーブ３に向かっている側には位置決めスリーブ５が接続されており、前記位置決めスリーブ５の外径が摺動スリーブ４の外径よりも小さくなり、前記開傘スプリング６は、一端が位置決めスリーブ５に外嵌されて摺動スリーブ４の下側面に当接されており、他端が圧縮スリーブ３の下側面に当接されている。
【００２０】
さらに、前記圧縮スリーブ３の内径と前記開傘スプリング６の外径とが等しいように設置される。
【００２１】
さらに、前記摺動スリーブ４の外径と開傘スプリング６の外径とが等しいように設置される。
【００２２】
さらに、前記圧縮スリーブ３が上スリーブ３１と調節スリーブ３２とを含み、前記上スリーブ３１は、一端が下ろくろ２の下に固定され、他端が調節スリーブ３２に接続され、前記調節スリーブ３２、及び上スリーブ３１の内壁には何れもネジ山が設けられ、前記上スリーブ３１と前記調節スリーブ３２とがネジ接合されており、前記上スリーブ３１のネジ山が上から下へ延伸し、上スリーブ３１の下縁から１センチ離れている位置まで延伸し、調節スリーブ３２を回転させる過程において、調節スリーブ３２が上スリーブ３１から離脱することが回避され、前記開傘スプリング６が調節スリーブ３２に当接されているように設置される。
【００２３】
さらに、前記調節スリーブ３２の内部に当接リング７が取り付けられ、前記調節スリーブ３２の内壁に回転溝が設けられ、前記当接リング７が回転溝内に取り付けられ、前記当接リング７が回転溝内に対して回転協働しており、前記開傘スプリング６が当接リング７に当接されるように設置される。
【００２４】
上記の説明は本考案の好ましい実施形態に過ぎず、本考案の保護範囲が上記実施例に限らず、本考案の技術思想下の技術的案は、何れも本考案の保護範囲に該当すべきである。なお、当業者にとって本考案の原理を離脱しない前提で行われた若干改進や修飾などは、本考案の保護範囲に該当すると見なされるべきである。
【符号の説明】
【００２５】
１…中ろくろ
２…下ろくろ
３…圧縮スリーブ
３１…上スリーブ
３２…調節スリーブ
４…摺動スリーブ
５…位置決めスリーブ
６…開傘スプリング
７…当接リング
【図１】
0003217597.tif 000003
【図２】
0003217597.tif 000004
【図３】
0003217597.tif 000005